(57)【要約】【課題】戸車調整により障子の高さを変更した場合でも、障子の摺動性を損なわずに召し合せ部の水密性を維持可能なサッシを提供する。【解決手段】窓は、外障子と、内障子と、下枠と、止水ピース９と、を備え、外障子は、召合框の下端にシールピースを有し、止水ピース９は、下枠の召し合せ部の内外レール間に設けてあり、内障子の下端にのみ当接する水返し片９３と、外障子のシールピースの下端に当接する外障子用軟質ヒレ片と、水返し片９３よりも内障子の戸尻側に一つ以上設けられ、且つ、内外障子に亘る見込み方向長さを備える軟質ヒレ片と、を有し、水返し片９３は、外障子用軟質ヒレ片よりも上下方向に長く、且つ、外障子用軟ヒレ及び水返し片９３よりも内障子の戸尻側に設けられた軟質ヒレ片よりも大きな強度を有するように形成され、内障子の戸尻側にのみ傾倒自在に形成され、水返し片９３と外障子用軟質ヒレ片とが見込方向に並べて設けられている。【選択図】図５
2015010411.tif 000002
【特許請求の範囲】
【請求項１】
外障子と、内障子と、下枠と、止水ピースと、を備え、
外障子は、召合框の下端にシールピースを有し、
止水ピースは、下枠の召し合せ部の内外レール間に設けてあり、内障子の下端にのみ当接する水返し片と、外障子のシールピースの下端に当接する外障子用軟質ヒレ片と、水返し片よりも内障子の戸尻側に一つ以上設けられ、且つ、内外障子に亘る見込み方向長さを備える軟質ヒレ片と、を有し、
水返し片は、外障子用軟質ヒレ片よりも上下方向に長く、且つ、外障子用軟ヒレ及び水返し片よりも内障子の戸尻側に設けられた軟質ヒレ片よりも大きな強度を有するように形成され、内障子の戸尻側にのみ傾倒自在に形成され、
水返し片と外障子用軟質ヒレ片とが見込方向に並べて設けられている
ことを特徴とする窓。
【請求項２】
内障子と、下枠と、止水ピースと、を備え、
止水ピースは、下枠の内障子用レールに近接して室外側に設けてあり、内障子の下端に当接する水返し片と、水返し片よりも内障子の戸尻側に一つ以上設けられた軟質ヒレ片と、を有し、
水返し片は、軟質ヒレ片よりも上下方向に長く、且つ、軟質ヒレよりも大きな強度を有するように形成され、内障子の戸尻側にのみ傾倒自在に形成されていることを特徴とする窓。
【発明の詳細な説明】
【技術分野】
【０００１】
本発明は、戸車の位置調整等により障子の高さが変わっても、召し合せ部下部の水密性を維持することができるサッシ（窓）に関する。
【背景技術】
【０００２】
サッシの召し合せ部の下部において、下枠に止水ピースを配置し、止水ピースの上部に設けた複数のヒダ片が障子の召合框の下部に当接することによって、内障子の室外側で外レールと内レールとの間に溜まった水が召合框の下を通って室内側に侵入するのを防止していた。
【先行技術文献】
【特許文献】
【０００３】
【特許文献１】特開２００２−２９５１４１号公報
【発明の概要】
【発明が解決しようとする課題】
【０００４】
しかしながら、従来例のように止水部がヒレのみから構成された止水ピースは、戸車調整により障子の高さが調整できるように構成されているサッシに採用した場合、障子の高さが変わることによりヒレのあたり具合が変わってしまい、ヒレが撓むほど障子の摺動への抵抗が大きくなり、障子が重くなってしまうという問題があった。
【０００５】
本発明は、上記事情を鑑みたものであり、戸車調整により障子の高さを変更した場合でも、障子の摺動性を損なわずに召し合せ部の水密性を維持することができるサッシ（窓）を提供することを目的とする。
【課題を解決するための手段】
【０００６】
本発明のうち請求項１の発明は、外障子と、内障子と、下枠と、止水ピースと、を備え、外障子は、召合框の下端にシールピースを有し、止水ピースは、下枠の召し合せ部の内外レール間に設けてあり、内障子の下端にのみ当接する水返し片と、外障子のシールピースの下端に当接する外障子用軟質ヒレ片と、水返し片よりも内障子の戸尻側に一つ以上設けられ、且つ、内外障子に亘る見込み方向長さを備える軟質ヒレ片と、を有し、水返し片は、外障子用軟質ヒレ片よりも上下方向に長く、且つ、外障子用軟質ヒレ及び水返し片よりも内障子の戸尻側に設けられた軟質ヒレ片よりも大きな強度を有するように形成され、内障子の戸尻側にのみ傾倒自在に形成され、水返し片と外障子用軟質ヒレ片とが見込方向に並べて設けられていることを特徴とするものである。
【０００７】
本発明のうち請求項２の発明は、内障子と、下枠と、止水ピースと、を備え、
止水ピースは、下枠の内障子用レールに近接して室外側に設けてあり、内障子の下端に当接する水返し片と、水返し片よりも内障子の戸尻側に一つ以上設けられた軟質ヒレ片と、を有し、
水返し片は、軟質ヒレ片よりも上下方向に長く、且つ、軟質ヒレよりも大きな強度を有するように形成され、内障子の戸尻側にのみ傾倒自在に形成されていることを特徴とする。
【発明の効果】
【０００８】
本発明によれば、障子が下がったり、戸車調整等により障子の高さを変更した場合でも、障子の摺動性を損なわずに召し合せ部の水密性を維持できる。
【図面の簡単な説明】
【０００９】
【図１】本発明の実施形態に係るサッシの縦断面図である。
【図２】本発明の実施形態に係るサッシの横断面図である。
【図３】室内外障子の召合框の下端部の拡大図である。
【図４】室内外障子の召合框の平面図である。
【図５】止水ピースの斜視図である。
【図６】（ａ）は止水ピースの平面図、（ｂ）は（ａ）のＡ−Ａ断面図、（ｃ）は（ａ）のＢ−Ｂ断面図、（ｄ）は（ａ）のＣ−Ｃ断面図である。
【図７】（ａ）は外障子のシールピースと止水ピースとの関係を示し、（ｂ）は、シールピースを上方に位置調整させた状態、（ｃ）は戸車調整等により障子の高さが高くなった時にシールピースの位置を下方位置に調整した状態を示した図である。
【発明を実施するための形態】
【００１０】
（窓の全体構成）
以下、本発明の実施の形態を図面に基づいて説明する。なお、上下は図１中の上下方向を、左右は図２中の左右方向を表す。ここでは、サッシの一例として、図１及び図２に示すように、枠体１に二枚の障子２ａ，２ｂを引違いに納めた引違い窓の例を挙げる。枠体１は、上下の横枠（上枠１１及び下枠１２）と、左右の縦枠１３とを四周枠組みしたもので、上枠１１の下面には内外障子用のレール１１ａ，１１ｂ、及び網戸用レール１１ｃが形成してあり、下枠１２の上面には内外障子用レール１２ａ，１２ｂ及び網戸用レール１２ｃが形成してある。
【００１１】
二枚の障子２ａ，２ｂは、何れも左右の縦框３と、上下の横框４（上框４１及び下框４２）と、パネル５とを備え、左右の縦框３の間に上下の横框４を取り付けて四周框組みして、パネル５を嵌め込んだものである。そして、下框４２ａ、４２ｂには、枠体１の下枠１２のレール１２ａ，１２ｂ上を走行する車輪を有する戸車７が設けられ、二枚の障子２ａ，２ｂが下枠上を左右方向スライド自在に納めてある。
【００１２】
外障子の召合框３１ａの室内側壁には、内外障子の召合框３１ａ，３１ｂの間をシールするシール部材３２が設けられており、内外召合框３１ａ、３１ｂの下面と下枠１２との間には、止水ピース（図示せず）が配置されて、室外より雨風が吹き込むのを防止している。
【００１３】
二枚の障子２ａ，２ｂの室外側には、網戸サッシ８が配置されており、網戸サッシ８の縦框８１の室内側壁面には、シール部材８２が全長に渡って設けられており、網戸サッシの縦框８１と外障子２ａの召合框３１ａとの間をシールしている。
【００１４】
（止水ピースの構成）
図３〜図６に示されるように、内外召合框３１ａ、３１ｂの下面と下枠１２との間には、止水ピース９が配置されている。止水ピース９は、軟質材料からなり、概略矩形の基部９１と基部９１上に配置された複数の軟質ヒレ片９２及び水返し片９３とから構成されている。基部９１は、外側基部９１ａと内側基部９１ｂとからなり、内側基部９１ｂの内障子戸当たり側には、他の基部部分よりも低い低段部９１ｃが形成されている。
【００１５】
止水ピース９の外側基部９１ａ上には、左右端部及び中央部付近に見込み方向に伸びる複数の軟質ヒレ片９２ａ〜９２ｊが設けられ、止水ピース９の内側基部９ｂには、内障子の中央付近及び戸尻側端部に見込み方向に伸びる複数の軟質ヒレ片９２ｋ、９２ｌが設けられており、外側基部９１ａと内側基部９１ｂの境界には、左右方向に伸びる軟質ヒレ片９２ｍ、９２ｎが設けられている。
【００１６】
さらに、止水ピース９の内側基部９１ｂの低段部９１ｃの内障子戸当たり側端部には、内障子用水返し片９３が設けられている。水返し片９３は、軟質ヒレ片よりも上下方向に長く且つ強度を持たせて形成されており、低段部９１ｃの内障子戸先側端部から略垂直に伸びる水返し片垂直部９３ａ、水返し片垂直部９３ａ先端より内障子戸尻側に向かって上方に傾斜する水返し片傾斜部９３ｂ、水返し片傾斜部９３ｂ先端より、内障子戸尻側に略水平に伸びる摺接部９３ｃとから構成されている。水返し片垂直部９３ａと水返し片傾斜部９３ｂとの接続部内方部には、切り欠き９３ｄが形成され、水返し片垂直部９３ａに対して水返し片傾斜部９３ｂがバネのように弾性を備えて内障子の戸尻側にのみ傾倒自在に構成されている。
【００１７】
止水ピース９の内側基部９１ｂの低段部９１ｃには、水返し片９３を乗り越えて浸入した水を排水する水抜き孔９１ｄが形成され、水抜き孔９１ｄから排水された水は、下枠１２に設けられた排水孔（図示せず）を介して室外に排水される。
【００１８】
止水ピース９の基部９１の室外側側面及び室内側側面９４ｂは、その下方部分には凹状部が形成され、室外側側面の凹状部及び室内側側面９４ｂの凹状部にはそれぞれ外方内方に向けて突条片が形成されており、止水ピース９を下枠の内外レール間に装着するときに、下枠もしくは止水ピースの形成誤差を吸収し、装着しやすいようになっている。
【００１９】
下枠１２の召し合せ部の内外レール１２ａ，１２ｂの間に装着された止水ピース９は、軟質ヒレ片９２ａ〜９２ｊが主に外障子の下框４２ａの下面に当接し、水返し片９３及び軟質ヒレ片９２ｋ、９２ｌが内障子の下框４２ｂに当接することにより、内障子の室外側で外レール１２ａと内レール１２ｂとの間に溜まった水が、召し合せ部の下を通って室内側に侵入するのを防止している。
【００２０】
外障子の戸尻側端部には、シールピース１０が上下位置調整可能に取り付けられており、図７（ｂ），図７（ｃ）に示すように、障子の高さが変化してもシールピース１０は止水ピース９の最も内障子戸先側に位置する軟質ヒレ片９２ａの上端と当接する位置に上下位置調整することができる。同様に、内障子の戸尻側端部にもシールピース１０が上下位置調整可能に取り付けられており、止水ピース９の最も内障子戸尻側に位置する軟質ヒレ片９２ｌの上端と当接する位置に上下位置調整される。
【００２１】
このように障子の戸尻側端部にはシールピース１０が設けられているので、障子の高さを変更した場合などにも止水ピース９の軟質ヒレ片９２と最適な当接状態を得ることができるが、内障子の下框における外障子の戸尻側端部と見込み方向で重なる位置にはシールピース１０を設けることは難しい。したがって、内障子の下框の下端に止水ピース９の軟質ヒレ片９２が当接する構成では、内障子の高さが低いときには、軟質ヒレ片９２に深く当接して、障子の摺動に大きな抵抗を与えることになってしまう。そこで、止水ピース９の外障子の戸尻側端部と見込み方向で重なる位置で内障子の下框４２ｂの下面と当接する位置には、軟質ヒレ片９２よりも上下方向に長く且つ強度を持たせた水返し片９３が設けられている。
【００２２】
水返し片９３は、内障子の戸尻側にのみ傾倒自在であるから、内障子が戸車調整等により障子の高さを変更した場合であっても、内障子の高さに応じて水返し片９３が傾倒して、常に水返し片９３の摺接部９３ｃが内障子の下框下部に当接するように構成されている。したがって、内障子の高さ位置にかかわらず内障子下框の下部と水返し片９３の摺接部９３ｃが当接し、内障子召合框の下方からの水の吹き込みを防止することができる。そして、水返し片９３は軟質ヒレ片９２よりも強度を持たせてあるので、軟質ヒレ片９２のように障子の開閉に応じて傾倒方向が変わらず、内障子の下框下部との摺動がスムーズであり、開閉抵抗の増加を抑えることができる。なお、水返し片９３の摺接部９３ｃの上面は、水平面や曲面であってもよい。
【００２３】
また、水返し片９３は、内障子の下框の下端にのみ当接するので、外障子の戸尻側の高さ調整されたシールピース１０に当接することなく、内障子の下框の下端のみに良好に追従させることができる。そして、外障子のシールピース１０及び軟質ヒレ片９２ａ、９２ｂと協働して、室外から内外召し合せ部に吹き込む雨水を止水する一次止水ラインを形成している。
【００２４】
仮に、外障子のシールピース１０及び軟質ヒレ片９２ａ、９２ｂと、水返し片９３とで構成した一次止水ラインを超えて室内側に水が浸入してきたとしても、基部上の一次止水ラインの内障子戸尻側には、複数の軟質ヒレ片が立設されており、浸入してきた水を堰き止め、低段部の水抜き孔９１ｄから排水することにより、室内に水が浸入することを防いでいる。
【００２５】
本発明は引違い窓以外の種々の窓、例えば内障子のみ備える片引き窓に適用できる。その際には、止水ピースは、図５に示された止水ピース９の内側基部９１ｂ（低段部９１ｃを含む）、内障子用水返し片９３から構成されることになる。そして、止水ピース９は、下枠の、内障子を閉鎖したときに内障子の戸尻側端部がくる位置に設けられ、止水ピース９により、方立と内障子の召し合せ部における、内障子の下面と下枠との間から室内に雨風が吹き込むのを防止する。
【符号の説明】
【００２６】
１  枠体
１１  上枠
１２  下枠
１２ａ，１２ｂ  内外障子用レール
１２ｃ  網戸用レール
２ａ，２ｂ  障子
３  縦框
４  横框
４１  上框
４２  下框
５  パネル
９  止水ピース
９１ａ，９１ｂ  基部
９１ｄ  水抜き孔
９２ａ〜ｎ  軟質ヒレ片
９３  水返し片
９３ａ  水返し片垂直部
９３ｂ  水返し片傾斜部
９３ｃ  摺接部
９３ｄ  切り欠き
１０  シールピース
【図１】
2015010411.tif 000003
【図２】
2015010411.tif 000004
【図３】
2015010411.tif 000005
【図４】
2015010411.tif 000006
【図５】
2015010411.tif 000007
【図６】
2015010411.tif 000008
【図７】
2015010411.tif 000009